(57)【要約】【課題】利便性の高いペット用トイレを提供する。【解決手段】容器状の便床トレイ１１を、ペット用砂７１を収容する砂収容部６１と、収容ボックス７２を収容したボックス収納部６２とに区画し、便床トレイ１１のボックス収納部６２に位置する側壁６４の高さ寸法を、前壁６５へ向かうに従って低くなるように設定する。砂収容部６１の周壁前部に、底部１１１から上縁へ向かうに従って前方へ向けて傾斜する傾斜部１１２を形成し、傾斜部１１２の断面形状を、裏面側へ向けて突出する円弧状に形成する。このペット用トイレ１は、ペット用砂７１覆われて固形化された排泄物を掻き寄せる為のスコップを備える。【選択図】図２
2006325605.tif 000002
【特許請求の範囲】
【請求項１】
処理材が収容される容器状の便床トレイを備えたペット用トイレにおいて、
前記便床トレイの底部に起立した周壁に前記底部から上縁へ向かうに従って外側へ向けて傾斜する傾斜部を設定したことを特徴とするペット用トイレ。
【発明の詳細な説明】
【技術分野】
【０００１】
本発明は、猫などのペットが排泄物を排出するペット用トイレに関する。
【背景技術】
【０００２】
従来、室内で飼育するペットの排泄物を処理する際には、ペット用トイレが使用されていた（例えば、特許文献１及び特許文献２参照。）。
【０００３】
このペット用トイレは、便床トレイと、該便床トレイの上部を覆うフードからなり、該フードには、当該ペット用トイレ内への出入口が設けられている。前記便床トレイは、容器状に形成されており、排泄物を固めるペット用砂を収容できるように構成されている。
【特許文献１】登録実用新案第３０６９７８８号公報（段落番号「００１６」及び図１）
【特許文献２】登録実用新案第３０６９７８９号公報（段落番号「００１９」及び図１）
【発明の開示】
【発明が解決しようとする課題】
【０００４】
しかしながら、このようなペット用トイレにあっては、便床トレイ内にてペット用砂で覆われて固化された排泄物を取り出す際には、その排泄物を、穴が開設されたスコップで掬い、余分なペット用砂を篩いにかけていた。
【０００５】
このため、便床トレイ内において砂埃や粉が舞い上がり周囲部を汚す恐れがあり、不便であった。
【０００６】
本発明は、このような従来の課題に鑑みてなされたものであり、利便性の高いペット用トイレを提供することを目的とするものである。
【課題を解決するための手段】
【０００７】
前記課題を解決するために本発明の請求項１のペット用トイレにあっては、処理材が収容される容器状の便床トレイを備えたペット用トイレにおいて、前記便床トレイの底部に起立した周壁に前記底部から上縁へ向かうに従って外側へ向けて傾斜する傾斜部を設定した。
【０００８】
すなわち、便床トレイ内の吸収済みの処理材を取り出す際には、この吸収済み処理材を、スコップ等によって便床トレイの周壁側へ掻き寄せる。そして、この周壁部に設定された傾斜部に沿って上縁側へ引き寄せ、上縁側に用意しておいた容器体やティッシュペーパー等に移して廃棄する。
【０００９】
このとき、前記傾斜部は、前記底部から上縁へ向かうに従って外側へ向けて傾斜している。このため、前記排泄物は、この傾斜に沿って移動される。
【００１０】
また、他の例としてのペット用トイレにおいては、前記傾斜部の断面形状を、裏面側へ向けて突出する円弧状に形成した。
【００１１】
すなわち、吸収済みの処理材が移動される傾斜部は、その断面形状が裏面側へ向けて突出する円弧状に形成されている。このため、前記傾斜部には、底部側に、なだらかな傾斜が形成され、上縁側に急な傾斜が形成される。
【００１２】
また、他の例としてのペット用トイレにあっては、処理材が収容される容器状の便床トレイを備えたペット用トイレにおいて、前記便床トレイの周壁の高さ寸法を、手前側より奥側が高くなるように設定した。
【００１３】
すなわち、便床トレイ内の吸収済みの処理材を取り出す際に、例えば、この吸収済み処理材をスコップで掬い、該スコップで余分な処理材を、便床トレイの奥側で篩いに掛ける。このとき、該便床トレイの周壁の高さ寸法は、手前側より奥側が高くなるように設定されている。
【００１４】
このため、便床トレイ内で砂埃や粉が生じた場合であっても、高く設定された周壁によって、外部への漏れが防止される。
【００１５】
さらに、他の例としてのペット用トイレにあっては、前記手前側に、前記便床トレイ内へ出入りする出入部を設定した。
【００１６】
すなわち、周壁の高さが低く設定された手前側に、便床トレイ内へ出入りする出入部が設定されている。このため、周壁が高く設定された奥側に、出入部が設定された場合と比較して、ペットの出入りが容易となる。
【００１７】
加えて、他の例としてのスコップにあっては、便床トレイに収容された吸収済みの処理材を排除する際に用いられるスコップにおいて、柄に設けられた掬い部を、長さ方向に延在する複数に縦リブで構成し、各縦リブ間に、未吸収の前記処理材を落下させる開口部を形成するとともに、各縦リブの先端を連設部で連設した。
【００１８】
すなわち、便床トレイ内の吸収済みの処理材を取り出す際には、このスコップによって便床トレイの周壁側へ掻き寄せる。このとき、当該スコップの掬い部は、長さ方向に延在する複数に縦リブで構成されており、各縦リブの先端は、連設部により連設されている。
【００１９】
このため、この連設部を、便床トレイの周壁に当接させた状態で、該周壁の上縁まで移動することによって、吸収済みの処理材は、上縁側に用意しておいた容器体やティッシュペーパー等に移され廃棄される。このとき、前記各縦リブ間には、未吸収の処理材を落下させる開口部が形成されている。このため、余分な処理材は、この開口部より便床トレイ内へ落下される。
【００２０】
また、他の例としてのスコップにおいては、前記各縦リブの先端部を、前記処理材を掬う掬い面側へ延出し、前記連設部を前記各縦リブの一般部より突出させた。
【００２１】
すなわち、このスコップの掬い面を形成する各縦リブの先端部は、掬い面側へ延出しており、この先端に設けられた連設部は、前記各縦リブの一般部より突出している。
【００２２】
このため、この連設部を、便床トレイの周壁に当接させた状態で、前記各縦リブの一般部と前記便床トレイの周壁間に間隙が形成される。これにより、この間隙からも未吸収の処理材が便床トレイ内へ落下される。
【００２３】
そして、他の例としての排泄物処理方法にあっては、便床トレイ内に排出された排泄物を、前記便床トレイ内の処理材で固める固め工程と、固められた処理材をスコップにより前記便床トレイの周壁に沿って掻き上げて、その収容箇所から掻き出す掻き出し工程と、を備えている。
【００２４】
すなわち、便床トレイ内に排出された排泄物を処理する場合、便床トレイ内に排出された排泄物は、前記便床トレイ内の処理材で固められる。そして、固められた処理材は、スコップにより前記便床トレイの周壁に沿って掻き上げられ、その収容箇所から掻き出される。
【発明の効果】
【００２５】
以上説明したように、本発明の請求項１のペット用トイレにあっては、便床トレイ内の吸収済みの処理材を、スコップ等によって周壁部の傾斜部に沿って無理なく上縁側へ引き寄せ、上縁側に用意しておいた容器体やティッシュペーパー等に移して廃棄することができる。
【００２６】
このため、便床トレイ内にて固化された排泄物をスコップで掬い、余分な処理材を篩いにかけて廃棄していた従来と比較して、砂埃や粉が舞い上がるといった不具合を確実に防止することができ、これに起因した周囲部の汚れを確実に防止することができる。したがって、利便性の向上を図ることができる。
【００２７】
また、他の例としてのペット用トイレにおいては、吸収済みの処理材が移動される傾斜部の断面形状が裏面側へ向けて突出する円弧状に形成されており、底部側に、なだらかな傾斜を形成することができるとともに、上縁側に急な傾斜を形成することができる。
【００２８】
これにより、便床トレイの底部で固化された吸収済みの処理材のスコップによる引き寄せを容易とする一方、通常には、底部に収容された未吸収の処理材の外部への不用意な散乱を阻止することができる。
【００２９】
また、他の例としての請求項３のペット用トイレにあっては、便床トレイ内の吸収済みの処理材を取り出す際に、例えば、この吸収済みの処理材をスコップで掬い、余分な未吸収の処理材を便床トレイの奥側で篩いに掛ける。
【００３０】
このとき、便床トレイの周壁の高さ寸法は、手前側より奥側が高くなるように設定されている。このため、便床トレイ内で砂埃や粉が生じた場合であっても、高く設定された周壁によって外部への漏れを防止することができる。これにより、便床トレイ周囲部の汚れを確実に防止することができ、利便性の向上を図ることができる。
【００３１】
加えて、他の例としてのペット用トイレにあっては、周壁の高さが低く設定された手前側に、便床トレイ内へ出入りする出入部が設定されている。このため、周壁が高く設定された奥側に、出入部が設定された場合と比較して、ペットの出入りを容易とすることができる。
【００３２】
よって、利用し易いペット用トイレとなり得る。
【００３３】
さらに、他の例としてのスコップにあっては、便床トレイ内の吸収済みの処理材を、当該スコップによって便床トレイの周壁側へ掻き寄せるとともに、その縦リブ先端の連設部を周壁に当接させた状態で周壁上縁まで移動し、上縁側に用意しておいた容器体やティッシュペーパー等へ移動して廃棄することができる。
【００３４】
このため、便床トレイ内にて固化された排泄物をスコップで掬い、余分な処理材を篩いにかけて廃棄していた従来と比較して、砂埃や粉が舞い上がるといった不具合を確実に防止することができ、これに起因した周囲部の汚れを確実に防止することができる。したがって、利便性の向上を図ることができる。
【００３５】
このとき、前記各縦リブ間には、前記処理材を落下させる開口部が形成されている。このため、余分な処理材を、この開口部より便床トレイ内へ落下させることができる。これにより、前記処理材の必要以上の廃棄を防止することができ、処理材の有効利用を図ることができる。
【００３６】
さらに、他の例としてのスコップにおいては、当該スコップの掬い面を形成する各縦リブの先端部が掬い面側へ延出しており、この先端に設けられた連設部は、前記各縦リブの一般部より突出している。
【００３７】
このため、この連設部を、便床トレイの周壁に当接させた状態で、前記各縦リブの一般部と前記便床トレイの周壁間に間隙を形成することができる。これにより、この間隙からも前記処理材を便床トレイ内へ落下させることができる。
【００３８】
そして、他の例としての排泄物処理方法にあっては、便床トレイ内に排出された排泄物を、便床トレイ内の処理材で固めた後、この固められた処理材を、スコップによって便床トレイの周壁に沿って掻き上げ、その収容箇所から掻き出して廃棄することができる。
【００３９】
このため、便床トレイ内にて固化された排泄物をスコップで掬い、余分な処理材を篩いにかけて廃棄していた従来と比較して、砂埃や粉が舞い上がるといった不具合を確実に防止することができ、これに起因した周囲部の汚れを確実に防止することができる。したがって、利便性の向上を図ることができる。
【発明を実施するための最良の形態】
【００４０】
以下、本発明の一実施の形態を図に従って説明する。図１は、本実施の形態にかかるペット用トイレ１を示す図であり、該ペット用トイレ１は、室内で飼育される猫などのペットの排泄物を処理する際に使用されるものである。
【００４１】
このペット用トイレ１は、合成樹脂で形成されており、底部を形成する便床トレイ１１と、該便床トレイ１１の上部を覆う上方膨出形状のフード１２によって構成されている。前記便床トレイ１１及び前記フード１２は、共に矩形状に形成されており、前記便床トレイ１１を逆さまにした状態で、前記フード１２内に挿入できる寸法に設定され、積み重ねてコンパクト化を図れるように構成されている。
【００４２】
このフード１２は、図２にも示すように、後部を構成するフード本体２１と、前部を構成する前蓋部２２との二部材によって構成されている。前記フード本体２１は、不透明な白色の合成樹脂で形成されており、前記前蓋部２２は、半透明の合成樹脂で形成されている。
【００４３】
この前蓋部２２の上部後縁からは、後方へ向けて延出した一対の支持バー３１，３１が一体形成されており（図１参照）、各支持バー３１，３１の両側面には、円柱状の軸部３２，３２が突設されている。この両軸部３２，３２は、図１にも示したように、前記フード本体２２上面に立設された一対の支持壁３３，３３に挟持された状態で回動自在に支持されており、前記前蓋部２２は、前記フード本体２１上面に回動自在に軸支されている。このヒンジ構造によって、前記前蓋部２２は、図１に示したように、前記便床トレイ１１の上部空間を閉鎖した閉鎖状態３４と、図３に示したように、前記軸部３２，３２を回転中心として前蓋部２２前端を上方へ回動し、前記便床トレイ１１の上部空間を開放した開放状態３５とを選択的に形成できるように構成されている。
【００４４】
前記フード本体２１の両側部の下縁には、図１にも示したように、バックル４１，４１が設けられており、当該フード本体２１は、両側のバックル４１，４１によって前記便床トレイ１１に着脱自在に固定されている。また、前記フード本体１２の上面には、当該ペット用トイレ１を持ち運びする際に握持されるハンドル４２が設けられており、該ハンドル４２は、起立可能に傾倒されている。このハンドル４２の中心部には、図２に示したように、脱臭剤などを収容する収容凹部４３が形成されており、該収容凹部４３は、図１に示したように、閉鎖蓋４４によって開閉自在に閉鎖されている。
【００４５】
前記前蓋部２２の前面には、ペットがペット用トイレ１の内部空間５１へ出入りする為の出入口５２が開設されており、該出入口５２の上縁には、当該出入口５２を開閉自在に閉鎖する扉５３が揺動自在に支持されている。
【００４６】
前記便床トレイ１１は、図２に示したように、容器状に形成されており、前記フード１２を取り付けた状態で、前記フード本体２１の下部に位置する収容箇所を形成する砂収容部６１と、前記前蓋部２２の下部に位置するボックス収納部６２とに区画されている。この便床トレイ１１の周壁は、奥側を形成する後壁６３と、左側部及び右側部を形成する側壁６４，６４と、前記出入口５２側である手前側を形成する前壁６５とからなり、前記ボックス収納部６２に位置する前記側壁６４，６４は、図３にも示したように、その高さ寸法が前壁６５へ向かうに従って低くなるように設定されている。これにより、当該便床トレイ１１の周壁の高さ寸法は、出入部としての前記出入口５２が設定された手前側より奥側が高くなるように形成されている。
【００４７】
この便床トレイ１１の前記砂収容部６１には、図２に示したように、水分を吸収して固化する処理材としてのペット用砂７１，・・・が収容されており、該ペット用砂７１，・・・は、粒状に形成されている。この処理材としては、ペレット状の紙砂や木砂やおから砂が挙げられる。また、前記ボックス収納部６２には、長方形状の収容ボックス７２が取り出し自在に収容されている。
【００４８】
該収容ボックス７２は、上方開口状の容器体８１と、該容器体８１の上部開口部８２を開閉自在に閉鎖する蓋体８３とからなり、該蓋体８３には、図４にも示したように、前記出入口５２を介して、当該収容ボックス７２上を通過するペットに付着した前記ペット用砂７１，・・・を前記容器体８１内へ落とすための正方形状の開口部８４，・・・が縦横に配列されている。
【００４９】
前記容器体８１の上縁中央部には、図２に示したように、前記便床トレイ１１の切欠部９１を介して、前方へ延出した後、下方へ屈曲して延在する取っ手９２が一体形成されており、該取っ手９２を握持して当該収容ボックス７２を持ち運べるように構成されている。この取っ手９２の上端部には、その中央部に矩形状切欠部９３が開設されており、前記容器体８１の上縁から前記矩形状切欠部９３内へ延出した延出片９４の先端には、円柱状の回転軸部９５が設けられている。
【００５０】
前記蓋体８３には、前記容器体８１の上部開口部８２を開放する際に操作される操作部１０１が一体形成されており、該操作部１０１は、前記取っ手９２に沿って延設されている。この操作部９２の基端側の裏面には、前記回転軸部９５に外嵌する下方開口状の外嵌部１０２が形成されており、前記取っ手９２を握持した手の指で前記操作部１０１を下方へ押圧操作した際に、前記蓋体９３の自由端部を、前記回転軸部９５を回動中心として回動し、前記上部開口部８２を開放できるように構成されている。
【００５１】
前記便床トレイ１１の前記砂収容部６１における周壁前部には、前記底部１１１から上縁へ向かうに従って前方へ向けて傾斜する傾斜部１１２が形成されており、該傾斜部１１２は、その断面形状が裏面側へ向けて突出する円弧状に形成されている。この傾斜部１１２は、前記砂収容部６１の底部１１１から前記ボックス収納部６２に収納された前記収容ボックス８１の前記上部開口部８２の開口縁部へ向かうに従って湾曲した湾曲面を形成しており、この傾斜部１１２の延長上に、前記収容ボックス７２の容器体８１の開口縁部が位置するように設定されている。これにより、前記砂収容部６１内のペット用砂７１，・・・を、この傾斜部１１２に沿って掻き上げた際に、前記収容ボックス７２の容器体８１へ収容できるように構成されている。
【００５２】
そして、このペット用トイレ１は、図４に示したように、前記ペット用砂７１，・・・で覆われて固形化された排泄物を掻き寄せる為のスコップ１２１を備えており、該スコップ１２１は、図５に示すように、手で握る柄１２２と、前記ペット用砂７１，・・・で固化された排泄物を掬う為の掬い部１２３とによって一体形成されている。該掬い部１２３は、前記柄１２２の延在方向に延設されており、この掬い部１２３は、その長さ方向に延在し幅方向に間隔をおいて複数延設された縦リブ１２４，・・・と、これら縦リブ１２４，・・・を包囲する周囲部１２５と、前記各縦リブ１２４，・・・を中途部にて連設する横リブ１２６とによって一体形成されている。なお、前記周囲部１２５は無くても良い。
【００５３】
前記縦リブ１２４，・・・及び横リブ１２６の高さ寸法１２７は、前記周囲部１２５の高さ寸法１２８より低く形成されており、該周囲部１２８の内側に、固化された排泄物を保持できるように構成されている。
【００５４】
前記各縦リブ１２４，・・・間には、ペット用砂７１，・・・を落下させる開口部としてのスリット１３１，・・・が形成されており、各スリット１３１，・・・の幅寸法１３２は、前記ペット用砂７１，・・・の外径寸法より大きく、該ペット用砂７１，・・・で固形化された排泄物より大きな寸法、つまり５〜１５ｍｍの範囲内、具体的には、１２ｍｍに設定されている。
【００５５】
また、前記各縦リブ１２４，・・・は、その先端部が前記ペット用砂７１，・・・を掬う掬い面１４１側へ延出した形状に形成されており、この屈曲部１４２，・・・の先端が当該縦リブ１２４，・・・の一般部１２４ａ，・・・より突出するように構成されている。前記各縦リブ１２４，・・・の屈曲部１４２，・・・の先端は、一体形成された連設部１４３によって連設されており、該連設部１４３が前記各縦リブ１２４，・・・の一般部１２４ａ，・・・よりも、さらには前記周囲部１２５の一般部１２５ａよりも前記掬い面１４１側へ突出するように構成されている。
【００５６】
このスコップ１２１の背面１５１には、係止フック１５２が一体形成されており、図４中実線で示すように、当該係止フック１５２を、前記フード本体２１の左右側縁に突設された係止片１５３，１５３に係止できるように構成されている。また、図４中破線で示すように、前記フード本体２１の上縁に設けられた係止部１５４にも係止できるように構成されている。
【００５７】
以上の構成にかかる本実施の形態において、猫などのペットが便床トレイ１１内のペット用砂上で排泄物を排出した際には、図６に示すように、この排泄物１６１は、前記ペット用砂７１，・・・によって固められる（固め工程）。
【００５８】
そして、前記ペット用砂７１，・・・で覆われて固形化された排泄物１６１を排除して清掃する際には、収容ボックス７２の取っ手９２を一方の手１６２で握持するとともに、取っ手９２を握持した手１６２の親指１６３で、蓋体８３に設けられた操作部１０１を下方へ押圧操作して、容器体８１の上部開口部８２を開放する。
【００５９】
この状態において、他方の手１７１でフード１２の前蓋部２２を上方へ回動して、便床トレイ１１の上部空間が開放された開放状態３５を形成する。そして、スコップ１２１を握持して前記排泄物１６１を手前側に引き寄せ、傾斜部１１２に沿って移動する。このとき、この傾斜部１１２の延長上には、前記収容ボックス７２の容器体８１の開口縁部が配置されている。このため、前記排泄物１６１を、前記傾斜部１１２に沿って移動するだけで、便床トレイ１１の砂収容部６１から掻き出し（掻き出し工程）、前記容器体８１内に収容することができる。
【００６０】
また、前記傾斜部１１２は、前記底部１１１から上縁へ向かうに従って外側へ向けて傾斜している。このため、便床トレイ１１内のペット用砂７１，・・・に覆われて固化された排泄物１６１を、前記傾斜部１１２に沿って無理なく上縁側へ引き寄せ、上縁側に用意された容器体８１に収容することができる。
【００６１】
このため、便床トレイ１１内にて固化された排泄物１６１をスコップ１２１で掬い、余分なペット用砂７１，・・・を篩いにかけて廃棄していた従来と比較して、砂埃や粉が舞い上がるといった不具合を確実に防止することができ、これに起因した周囲部の汚れを確実に防止することができる。したがって、利便性の向上を図ることができる。
【００６２】
また、前記傾斜部１１２は、その断面形状が裏面側へ向けて突出する円弧状に形成されており、底部１１１側に、なだらかな傾斜を形成することができるとともに、上縁側に急な傾斜を形成することができる。
【００６３】
これにより、便床トレイ１１の底部１１１にて固化された排泄物１６１のスコップ１２１による引き寄せを容易とする一方、通常には、底部１１１に収容されたペット用砂７１，・・・の外部への不用意な散乱を阻止することができる。
【００６４】
さらに、前記スコップ１２１を手前に引いて排泄物１６１を除去するため、スコップ１２１を横方向へ操作する場合と比較して効率が良い。これにより、操作性が向上するので、作業効率を高めることができる。
【００６５】
そして、前記便床トレイ１１の傾斜部１１２に沿って前記排泄物１６１を掻き上げる前記スコップ１２１の掬い部１２３は、長さ方向に延在する複数に縦リブ１２４，・・・で構成されており、各縦リブ１２４，・・・の先端は、連設部１４３によって連設されている。
【００６６】
このため、この連設部１４３を、前記傾斜部１１２に当接させた状態で、該傾斜部１１２の上縁まで移動することで、前記排泄物１６１を前記容器体８１に収容することができる。
【００６７】
このとき、前記各縦リブ１２４，・・・間には、前記ペット用砂７１，・・・を落下させるスリット１３１，・・・が形成されている。このため、余分なペット用砂７１，・・・を、このスリット１３１，・・・より便床トレイ１１内へ落下させることができる。これにより、前記ペット用砂７１，・・・の必要以上の廃棄を防止することができ、ペット用砂７１，・・・の有効利用を図ることができる。
【００６８】
また、前記スコップ１２１の掬い面１４１を形成する各縦リブ１２４，・・・の先端には、掬い面１２４側へ延出する屈曲部１４２，・・・が形成されており、この屈曲部１４２，・・・先端に設けられた前記連設部１４３は、前記各縦リブ１２４，・・・の一般部１２４ａ，・・・及び周囲部１２５の一般部１２５ａ，・・・より突出している。
【００６９】
このため、この連設部１４３を、前記傾斜部１１２に当接させた状態で、前記各縦リブ１２４，・・・の一般部１２４ａ，・・・及び周囲部１２５の一般部１２５ａ，・・・と、前記便床トレイ１１の傾斜部１１２との間に間隙を形成することができる。これにより、この間隙からも前記ペット用砂７１，・・・を便床トレイ１１内へ落下させることができる。
【００７０】
次に、前記操作部１０１から親指１６３を離して、容器体８１の上部開口部８２を蓋体８３で閉鎖し、この収容ボックス７２を、前記便床トレイ１１から取り外す。そして、この収容ボックス７２を、図７の（ａ）に示すように、トイレ１８１まで移送して、あるいは図７の（ｂ）に示すように、ゴミ箱１８２まで移送して収容された排泄物１６１を廃棄する。
【００７１】
一方、前記便床トレイ１１内のペット用砂７１，・・・で覆われ固化された排泄物１６１を取り出す場合、この排泄物１６１をスコップ１２１で掬い、余分なペット用砂７１，・・・を便床トレイ１１の奥側で篩いに掛ける方法も挙げられる。
【００７２】
このとき、該便床トレイ１１の周壁の高さ寸法は、手前側より奥側が高くなるように設定されている。このため、便床トレイ１１内で砂埃や粉が生じた場合であっても、高く設定された周壁によって外部への漏れを防止することができる。これにより、便床トレイ１１周囲部の汚れを確実に防止することができ、利便性の向上を図ることができる。
【００７３】
また、周壁の高さが低く設定された手前側に、便床トレイ１１内へ出入りする出入口５２が設けられている。このため、周壁が高く設定された奥側に、出入口５２が設けられた場合と比較して、ペットの出入りを容易とすることができる。
【００７４】
よって、利用し易いペット用トイレ１となり得る。
【図面の簡単な説明】
【００７５】
【図１】本発明の一実施の形態を示す斜視図である。
【図２】同実施の形態の断面図である。
【図３】同実施の形態の側面図である。
【図４】同実施の形態にスコップを取り付けた状態を示す斜視図である。
【図５】同実施の形態のスコップを示す斜視図である。
【図６】同実施の形態の利用形態を示す説明図である。
【図７】図６に続く利用形態を示す説明図である。
【符号の説明】
【００７６】
１    ペット用トイレ
１１    便床トレイ
１２    フード
５２    出入口
６１    砂収容部
７１    ペット用砂
１１２    傾斜部
１２１    スコップ
１２２    柄
１２３    掬い部
１２４    縦リブ
１２４ａ  一般部
１３１    スリット（開口部）
１４１    掬い面
１４３    連設部
１６１    排泄物
【図１】
2006325605.tif 000003
【図２】
2006325605.tif 000004
【図３】
2006325605.tif 000005
【図４】
2006325605.tif 000006
【図５】
2006325605.tif 000007
【図６】
2006325605.tif 000008
【図７】
2006325605.tif 000009